(57)【要約】【課題】作業中に大気中にアスベストが飛散するのを防ぐことで、作業員の安全性を確保し、簡易且つ迅速にアスベスト除去を行えるようにするアスベスト除去具を提供する。【解決手段】本考案は、伸縮部材５と、伸縮部材の一端に装着された支持部材４と、支持部材に少なくとも一部が支持される枠体３と、枠体に固着された押付部材２と、手袋付きビニール袋６とを備え、押付部材の上に手袋付きビニール袋が被せられ、伸縮部材の長さを調節することで、押付部材により手袋付きビニール袋を作業対象面に押し付けることで密閉された作業空間を構築するアスベスト除去具１である。【選択図】図１
0003217245.tif 000002
【実用新案登録請求の範囲】
【請求項１】
伸縮部材と、
前記伸縮部材の一端に装着された支持部材と、
前記支持部材に少なくとも一部が支持される枠体と、
前記枠体に固着された押付部材と、
手袋付きビニール袋と、を備え、
前記押付部材の上に前記手袋付きビニール袋が被せられ、前記伸縮部材の長さを調節することで、前記押付部材により前記手袋付きビニール袋を作業対象面に押し付けることで密閉された作業空間を構築する
アスベスト除去具。
【請求項２】
前記伸縮部材の他端には装着される底面部を更に有し、
前記作業対象面とは建物の天井面であり、前記伸縮部材の前記底面部を床面に当接させて前記伸縮部材の長さを調節し、前記押付部材により前記手袋付きビニール袋を天井に押し付けることで、密閉された作業空間を構築する
請求項１に記載のアスベスト除去具。
【請求項３】
前記伸縮部材の他端には装着される固定部材を更に有し、
前記作業対象面とは建物の壁面であり、前記伸縮部材の前記固定部材を足場の単管に固定し、前記伸縮部材の長さを調節し、前記押付部材により前記手袋付きビニール袋を前記壁面に押し付けることで、密閉された作業空間を構築する
請求項１に記載のアスベスト除去具。
【請求項４】
前記伸縮部材は、第１支柱部、第２支柱部、及び調整部からなり、
前記調整部を開放して、第２支柱部の中から第１支柱部を引き出し、所望の長さとなったところで、調整部を締めることで、前記伸縮部材を所望の長さとする
請求項１乃至請求項３のいずれか１項に記載のアスベスト除去具。
【請求項５】
前記枠体は、第１枠部、第２枠部、及び第３枠部からなり、
前記第１枠部の長穴と、前記第２枠部の長穴と、前記第３枠部の長穴とにボルトを挿通し、両端をナットで締め付けることで、前記枠体の直径を調整する
請求項１乃至請求項４のいずれか１項に記載のアスベスト除去具。
【請求項６】
第１伸縮部材と、
前記第１伸縮部材の一端に装着された連結部材と、
前記連結部材に一端が装着された第２伸縮部材と、
前記第１伸縮部材の一端に装着された支持部材と、
前記支持部材に少なくとも一部が支持される枠体と、
前記枠体に固着された押付部材と、
手袋付きビニール袋と、を備え、
前記押付部材の上に前記手袋付きビニール袋が被せられ、前記第１伸縮部材及び第２伸縮部材の少なくともいずれかの長さを調節することで、前記押付部材により前記手袋付きビニール袋を作業対象面に押し付けることで密閉された作業空間を構築する
アスベスト除去具。
【請求項７】
前記第１伸縮部材の他端に装着される底面部を更に有し、
前記作業対象面とは建物の天井面であり、前記第１伸縮部材の前記底面部を床面に当接させて前記第１伸縮部材及び前記第２伸縮部材の少なくともいずれかの長さを調節し、前記押付部材により前記手袋付きビニール袋を天井に押し付けることで、密閉された作業空間を構築する
請求項６に記載のアスベスト除去具。
【考案の詳細な説明】
【技術分野】
【０００１】
本考案は、例えば建物の壁材等に用いられているアスベストを除去する際に、作業員が用いるアスベスト除去具に関する。
【背景技術】
【０００２】
従来、建築物には、その断熱性や耐火性等の高さに着目して、壁材等としてアスベストが用いられていた。しかし、アスベストは、人体に悪影響を与えることが、その後の研究により判明したため、建物を解体等する際には、該アスベストが周囲に飛散しないようにすることが必須となっている。そして、このような、アスベストを除去するための技術については、種々の提案がなされている。
【０００３】
例えば、特許文献１では、後半位置に手持ち操作部を有する吸引管と、該吸引管の先端部に位置し、アスベスト吹付け面に弾性的に接するフードを先端に有するカップ状ないし漏斗状の剥離器と、剥離器に挿着され噴射軸線が剥離器開口位置よりも先方で交わる角度を持った複数のミスト噴射ノズルと、吸引管の適所に固定されたミスト生成器とを備えたアスベスト除去機が開示されている。
【０００４】
また、特許文献２では、吹付け施工されたアスベスト層に水を散布して湿潤化させた後に、この湿潤化されたアスベスト層に冷媒を吹付けて凍結させ、該凍結させたアスベスト層を剥離して除去する、アスベスト層の除去方法が開示されている。
【０００５】
さらに、特許文献３では、略平面上に位置する開口縁を有する開口有底状に設けられ該開口面の対向する底部に作業用穿孔が形成された内ケース、この内ケースの開口縁よりも外側で且つ底部側に位置する開口縁を有する開口有底状に設けられ該内ケースを覆い内ケースとの間に吸引室を形成する外ケース、上記内ケースの内部の空気を排気する第一排気管、上記吸引室の空気を排気する第二排気管、及び上記作業用穿孔を密閉状態とし、内ケースの内部に除去具を介在させた際に内ケースの外部から上記除去具を操作可能な作業可能化手段を備えるアスベスト除去補助具が開示されている。
【先行技術文献】
【特許文献】
【０００６】
【特許文献１】実用新案登録第３１２９３９０号公報
【特許文献２】特開２００７−２０５１２７号公報
【特許文献３】特開２０１２−２２５０５１号公報
【考案の概要】
【考案が解決しようとする課題】
【０００７】
しかしながら、特許文献１に開示されたものは、ミスト噴射ノズルを有しており、当該ミスト噴射ノズルからのミストをアスベスト吹き付け面に噴射してアスベストを除去するものであり、構成が複雑であった。さらに、特許文献２に開示されたものは、アスベスト層に冷媒を吹付けて凍結さて除去するものであり、凍結させるための複雑な機材を必要としていた。また、特許文献３に開示されたものは、アスベストを吸引し、排気するものであり、吸引及び排気のための特別な構成を必要としていた。
【０００８】
今日では、一般住宅等、比較的小規模な建物についても、作業員の安全性を確保しながら、アスベストの除去を簡易に行うことが嘱望されているが、上記のように特別で複雑な基材を用いるものは存在するものの、簡素な構成で安全性を確保しつつ、迅速にアスベスト除去を行うための除去具は存在しない。
【０００９】
本考案は、このような課題に鑑みてなされたものであり、その目的とするところは、作業中に大気にアスベストが飛散するのを防ぐことで、作業員の安全性を確保し、簡易且つ迅速にアスベスト除去を行えるようにするアスベスト除去具を提供することにある。
【課題を解決するための手段】
【００１０】
上記課題を解決するために、本考案の第１の態様に係るアスベスト除去具は、伸縮部材と、前記伸縮部材の一端に装着された支持部材と、前記支持部材に少なくとも一部が支持される枠体と、前記枠体に固着された押付部材と、手袋付きビニール袋と、を備え、前記押付部材の上に前記手袋付きビニール袋が被せられ、前記伸縮部材の長さを調節することで、前記押付部材により前記手袋付きビニール袋を作業対象面に押し付けることで密閉された作業空間を構築する。
【００１１】
本考案の第２の態様に係るアスベスト除去具は、第１の態様において、前記伸縮部材の他端には装着される底面部を更に有し、前記作業対象面とは建物の天井面であり、前記伸縮部材の前記底面部を床面に当接させて前記伸縮部材の長さを調節し、前記押付部材により前記手袋付きビニール袋を天井に押し付けることで、密閉された作業空間を構築する。
【００１２】
本考案の第３の態様に係るアスベスト除去具は、第１の態様において、前記伸縮部材の他端には装着される固定部材を更に有し、前記作業対象面とは建物の壁面であり、前記伸縮部材の前記固定部材を足場の単管に固定し、前記伸縮部材の長さを調節し、前記押付部材により前記手袋付きビニール袋を前記壁面に押し付けることで、密閉された作業空間を構築する。
【００１３】
本考案の第４の態様に係るアスベスト除去具は、第１乃至第３の態様において、前記伸縮部材は、第１支柱部、第２支柱部、及び調整部からなり、前記調整部を開放して、第２支柱部の中から第１支柱部を引き出し、所望の長さとなったところで、調整部を締めることで、前記伸縮部材を所望の長さとする。
【００１４】
本考案の第５の態様に係るアスベスト除去具は、第１乃至第４の態様において、前記枠体は、第１枠部、第２枠部、及び第３枠部からなり、前記第１枠部の長穴と、前記第２枠部の長穴と、前記第３枠部の長穴とにボルトを挿通し、両端をナットで締め付けることで前記枠体の直径を調整する。
【００１５】
本考案の第６の態様に係るアスベスト除去具は、第１伸縮部材と、前記第１伸縮部材の一端に装着された連結部材と、前記連結部材に一端が装着された第２伸縮部材と、前記第１伸縮部材の一端に装着された支持部材と、前記支持部材に少なくとも一部が支持される枠体と、前記枠体に固着された押付部材と、手袋付きビニール袋と、を備え、前記押付部材の上に前記手袋付きビニール袋が被せられ、前記第１伸縮部材及び第２伸縮部材の少なくともいずれかの長さを調節することで、前記押付部材により前記手袋付きビニール袋を作業対象面に押し付けることで密閉された作業空間を構築する。
【００１６】
本発明の第７の態様に係るアスベスト除去具は、第６の態様において、前記第１伸縮部材の他端に装着される底面部を更に有し、前記作業対象面とは建物の天井面であり、前記第１伸縮部材の前記底面部を床面に当接させて前記第１伸縮部材及び前記第２伸縮部材の少なくともいずれかの長さを調節し、前記押付部材により前記手袋付きビニール袋を天井に押し付けることで、密閉された作業空間を構築する。
【考案の効果】
【００１７】
本考案によれば、作業中に大気中にアスベストが飛散するのを防ぐことで、作業員の安全性を確保し、簡易且つ迅速にアスベスト除去を行えるようにするアスベスト除去具を提供することができる。
【図面の簡単な説明】
【００１８】
【図１】本考案の第１実施形態に係るアスベスト除去具の構成図である。
【図２】同アスベスト除去具の構成図である。
【図３】同アスベスト除去具の底面図の構成図である。
【図４】同アスベスト除去具の枠体の構成図である。
【図５】同アスベスト除去具に手袋付きビニール袋を装着した様子を示す図である。
【図６】同アスベスト除去具による作業の様子を示す図である。
【図７】本考案の第２実施形態に係るアスベスト除去具の構成図である。
【図８】同アスベスト除去具を作業用単管に装着した様子を示す図である。
【図９】同アスベスト除去具の伸縮部材の一端における支持部材の装着、及び他端における固定部材の装着の様子を示す図である。
【図１０】同アスベスト除去具の枠体の構成図である。
【図１１】同アスベスト除去具による作業の様子を示す図である。
【図１２】本考案の第３実施形態に係るアスベスト除去具の構成図である。
【図１３】同アスベスト除去具の一部側面図である。
【図１４】同アスベスト除去具の枠体の構成図である。
【考案を実施するための形態】
【００１９】
以下、図面を参照しつつ本考案の実施形態について説明する。
【００２０】
＜第１実施形態＞
図１乃至図５には、本考案の第１実施形態に係るアスベスト除去具の構成を示し、その構成及び作用について詳細に説明する。
【００２１】
図１に示されるように、アスベスト除去具１は、伸縮部材５を備えており、伸縮部材５の一端（床面側）には底面部７が装着されており、他端（天井側）には支持部材４が装着されている。支持部材４は、円弧状の枠体３の一部を支えるものである。この支持部材４の上には枠体３が載置され、支持部材４の上には弾力性のある押付部材２が両面テープ８により固着される。固着の手段は、両面テープ８には限定されない。
【００２２】
なお、図１では、図示を簡略化しているが、実際には、図２に示されるように、複数（図２では３本）の伸縮部材５により、枠体３は３か所で支えられている。
【００２３】
伸縮部材５は、第１支柱部５ａ、第２支柱部５ｃ、及び調整部５ｂからなる。このような構成において、調整部５ｂを回転させて開放させた後、第２支柱部５ｃの中から第１支柱部５ａを引き出し、所望の長さとなったところで、調整部５ｂを上記とは逆に回転させて締めれば、伸縮部材５自体が所望の長さとなる。伸縮部材５として、第１支柱部５ａを調整部５ｂに対して回転させて、長さを調整する手段を用いてもよい。
【００２４】
ここで、伸縮部材５の一端（床面側）への底面部７の装着の様子は、図３に示される通りである。同図に示されるように、第２支柱部５ｃの内面に形成されたネジ溝に、底面部７のネジ部７ａを螺合させることで、第２支柱部５ｃに底面部７を簡易に装着することができるようになっている。
【００２５】
枠体３は、図４に示されるように、第１枠部１０、第２枠部１１、及び第３枠部１２で構成されている。第１枠部１０の長穴１０ａと、第２枠部１１の長穴（不図示）と、第３枠部１２の長穴１２ａとにボルト１４を挿通し、両端をナット１４で締め付ければ、第１枠体１０と、第２枠体１１及び第３枠体１２との位置関係を調整することができる。換言すれば、枠体３は、その長さを調整することが可能となっている。
【００２６】
実際の使用に際しては、図５に示されるように、３つの伸縮部材５で支えられた枠体３の平面に両面テープ８で固着された押付部材２の上に、手袋付きのビニール袋６を上方から被せた後、施工対象である天井面等に押し付けることで、密閉された施工空間を構築することが可能となる。この状態で、作業員は、手袋付きビニール袋６の手袋６ａ，６ｂに手を入れて、天井面等のアスベストを除去する作業を行う。
【００２７】
第１実施形態に係るアスベスト除去具を用いた天井面に対する実際のアスベスト除去の作業の様子は、図６に示される通りである。同図に示されるように、一般住宅等が施工対象であっても、限られた空間に作業空間を簡易に構築できる。
【００２８】
＜第２実施形態＞
図７乃至図１０には、本考案の第２実施形態に係るアスベスト除去具の構成を示し、その構成及び作用について詳細に説明する。
【００２９】
図７に示されるように、アスベスト除去具２０は、伸縮部材２６を備えており、伸縮部材２６の一端（足場側）には固定部材としてのクランプ２７が装着されており、他端（壁面側）には支持部材２４が装着されている。支持部材２４は、円弧状の枠体２３の一部を支持する。枠体２３の支持部材２４による支持面と対向する平面には、弾力性のある押付部材２１が両面テープ２２により固着される。固着の手段は、両面テープ２２には限定されないことは勿論である。
【００３０】
なお、図７では、図示を簡略化しているが、実際には、図８に示されるように、複数（図２では３本）の伸縮部材２６により、枠体２３は３か所で支えられている。伸縮部材２６は、第１支柱部２６ａ、第２支柱部２６ｃ、及び調整部２６ｂからなる。このような構成において、調整部２６ｂを回転させて開放させた後、第２支柱部２６ｃの中から第１支柱部２６ａを引き出し、所望の長さとなったところで、調整部２６ｂを上記とは逆に回転させて締めれば、伸縮部材２６自体が所望の長さとなる。伸縮部材２６として、第１支柱部２６ａを調整部２６ｂに対して回転させて、長さを調整する手段を用いてもよい。
【００３１】
ここで、伸縮部材２６の一端（足場側）への固定部材としてのクランプ２７の装着、他端（壁面側）への支持部材２４の装着の様子は、図９に示される通りである。同図に示されるように、第１支柱部２６ａの内面に形成されたネジ溝に、支柱部材２４のネジ部２４ａを螺合させることで、第１支柱部２６ａに支持部材２４を簡易に装着できる。また、第２支柱部２６ｃの内面に形成されたネジ溝に、クランプ２７のネジ部２７ａを螺合させることで、第２支柱部２６ｃにクランプ２７を簡易に装着できる。
【００３２】
枠体２３は、図１０に示されるように、第１枠部３０、第２枠部３１、及び第３枠部３２で構成されている。第１枠部３０の長穴３０ａと、第２枠部３１の長穴３１ａと、第３枠部３２の長穴３２ａとにボルト３３を挿通し、両端をナット３４で締め付ければ、第１枠体３０と、第２枠体３１及び第３枠体３２との位置関係を調整することができる。換言すれば、枠体２３は、その長さを調整することが可能となっている。
【００３３】
実際の使用に際しては、図８に示されるように、３つの伸縮部材２６で支えられた枠体２３の上に両面テープ２２で固着された押付部材２１の上に、図１に示されるように、手袋付きのビニール袋２５を被せ、施工対象である壁面等に押し付けることで、密閉された施工空間を構築することが可能となる。この状態で、作業員は、手袋付きビニール袋２５の手袋２５ａに手を入れて天井面等のアスベストを除去する作業を行う。
【００３４】
第２実施形態に係るアスベスト除去具を用いた壁面に対する実際のアスベスト除去の作業の様子は、図１１に示される通りである。同図に示されるように、一般住宅等が施工対象であっても、限られた空間に作業空間を簡易に構築できる。
【００３５】
＜第３実施形態＞
図１２乃至図１４には、本考案の第３実施形態に係るアスベスト除去具の構成を示し、その構成及び作用について詳細に説明する。
【００３６】
図１２及び図１３に示されるように、アスベスト除去具４０は、第１伸縮部材４４を備えており、第１伸縮部材４４の一端（床面側）には底面部が装着されており、他端（天井側）には連結部材４３が装着されている。連結部材４３は、この例では、中空のドーム型形状となっており、第２伸縮部材４２の一端が可動自在に装着される開口部４３ａを複数備えている。第２伸縮部材４２の一端は、連結部材４３に連結され、他端には、支持部材４１が装着される。支持部材４１は、円弧状に連結される枠体４５の一部を支えるものである。この支持部材４１の上には枠体４５が載置され、枠体４５の上には弾力性のある押付部材４７が両面テープ４６等により固着される。固着の手段は、両面テープ４６には限定されないことは勿論である。
【００３７】
第１伸縮部材４４は、第１支柱部４４ａ、第２支柱部４４ｂ、及び調整部４４ｃからなる。このような構成において、調整部４４ｃを回転させて開放させた後、第２支柱部４４ｂの中から第１支柱部４４ａを引き出し、所望の長さとなったところで、調整部４４ｃを上記とは逆に回転させて締めれば、第１伸縮部材４４自体が所望の長さで固定される。なお、第１伸縮部材４４として、第１支柱部４４ａを調整部４４ｃに対して回転させて、長さを調整する手段を用いてもよい。
【００３８】
同様に、第２伸縮部材４２は、第１支柱部４２ａ、第２支柱部４２ｂ、及び調整部４２ｃからなる。このような構成において、調整部４２ｃを回転させて開放させた後、第２支柱部４２ｂの中から第１支柱部４２ａを引き出し、所望の長さとなったところで、調整部４２ｃを上記とは逆に回転させて締めれば、第２伸縮部材４２自体が所望の長さで固定される。なお、第２伸縮部材４２として、第２支柱部４２ａを調整部４２ｃに対して回転させて、長さを調整する手段を用いてもよい。
【００３９】
第２伸縮部材４２の第２支柱部４２ｂには、ネジ孔が開けられており、図１２（ｂ）に示されるように、連結部４３の開口部４３ａの内面側から球形のヘッドを有する回動軸部材４２ｄのネジ部分を通し、第２支柱部４２ｂの上記ネジ孔に螺合させることで、第２伸縮部材４２は、連結部４３に対して、傾斜角を可変自在に固定される。
【００４０】
同様に、第２伸縮部材４２の第１支柱部４２ａには、ネジ孔が開けられており、図１３）に示されるように、支持部材４１の開口部の内面側から球形のヘッドを有する回動軸部材４２ｅのネジ部分を通し、第１支柱部４２ａの上記ネジ孔に螺合させることで、支持部材４１は、第２伸縮部材４２に対して傾斜角が可変自在となる。
【００４１】
次に、枠体４５の構成について更に言及する。図１４（ａ）に示されるように、実際の使用に際しては、複数の枠体４５が、丁番４８により連結され、全体として枠状に構成される。尚、前述した通り、各枠体４５の上には、弾力性のある押付部材４７が両面テープ４６等により固着されている。
【００４２】
丁番４８の詳細な構成は、図１４（ｂ）に示される通りであり、第１平板部４８ａに接続された開閉部４８ｃの中に上下移動自在なロック部４８ｅが内在しており、開閉部４８ｃの開口部４８ｄに沿って、ロック部４８ｅを上方向に移動させることで、ロック部４８ｅが、第２平板部４８ｂに接続された開閉部４８ｃに挿通され、こうして第１平板部４８ａは第２平板部４８ｂに連結される。第１平板部４８ａは第１の枠体に、第２平板部４８ｂは第２の枠体にそれぞれ設けられているので、第１平板部４８ａと第２平板部４８ｂの連結は、取り外し可能な２つの枠体の連結を意味する。尚、丁番について、図１４（ｃ）に示されるように着脱できない連結型のものや、図１４（ｄ）に示されるように、一方の平板に対して他方の平板を持ち上げることで軸部材により連結が解除される構成ものを採用することも可能である。
【００４３】
以上のように、複数の枠体４５が連結されると、丁番の作用により、図１４（ｅ）に示されるような楕円形状の配列や、図１４（ｆ）に示されるような矩形形状の配列など、種々の態様で複数の枠体４５を配列することが可能となる。
【００４４】
実際の使用に際しては、先に図５で示したのと略同様に、第１伸縮部材４４及び第２伸縮部材４２で支えられた枠体４５の平面に両面テープ４６で固着された押付部材４７の上に、手袋付きのビニール袋を上方から被せた後、施工対象である天井面等に押し付けることで、密閉された施工空間を構築することが可能となる。この状態で、作業員は、手袋付きビニール袋の手袋に手を入れて、天井面等のアスベストを除去する作業を行う。
【００４５】
以上説明したように、本考案の実施形態によれば、以下の効果が奏される。
【００４６】
即ち、本考案の実施形態によれば、伸縮部材５（２６）と、伸縮部材の一端に装着された支持部材４（２４）と、支持部材に少なくとも一部が支持される枠体３（２３）と、枠体に固着された押付部材２（２１）と、手袋付きビニール袋６（２５）とを備え、押付部材の上に手袋付きビニール袋が被せられ、伸縮部材の長さを調節することで、押付部材により手袋付きビニール袋を作業対象面に押し付けることで密閉された作業空間を構築するアスベスト除去具が提供される。従って、一般住宅等の比較的小さい作業対象についても簡易に安全な作業空間を構築することが可能となる。
【００４７】
ここで、伸縮部材５の他端には装着される底面部７を更に有し、作業対象面とは建物の天井面であり、伸縮部材の底面部を床面に当接させて伸縮部材の長さを調節し、押付部材により前記手袋付きビニール袋を天井に押し付けることで、密閉された安全な作業空間を構築するとよい。従って、作業対象が天井面であっても、簡易に密閉された安全な作業空間を構築することが可能となる。
【００４８】
また、伸縮部材２６の他端には装着される固定部材２８を更に有し、作業対象面とは建物の壁面であり、伸縮部材の固定部材を足場の単管に固定し、伸縮部材の長さを調節し、押付部材により手袋付きビニール袋を前記壁面に押し付けることで、密閉された作業空間を構築するとよい。従って、作業対象が壁面であっても、足場との関係で簡易に密閉された安全な作業空間を構築することが可能となる。
【００４９】
また、伸縮部材５（２６）は、第１支柱部５ａ（２６ａ）、第２支柱部５ｃ（２６ｃ）及び調整部５ｂ（２６ｂ）からなり、調整部を開放して、第２支柱部の中から第１支柱部を引き出し、所望の長さとなったところで、調整部を締めることで、前記伸縮部材を所望の長さとするとよい。従って、天井の高さや足場から壁面までの距離が異なる場合であっても環境に合わせて、本除去具を好適に設置することが可能となる。
【００５０】
また、枠体３（２３）は、第１枠部１０（３０）、第２枠部１１（３１）、及び第３枠部１２（３２）からなり、第１枠部の長穴と、前記第２枠部の長穴と、前記第３枠部の長穴とにボルトを挿通し、両端をナットで締め付けることで、前記枠体の直径を調整するとよい。従って、作業対象箇所の大きさに応じて、枠体３の大きさを作業しやすい大きさに適宜調整することが可能となる。
【００５１】
また、本発明の実施形態によれば、第１伸縮部材４４と、第１伸縮部材の一端に装着された連結部材４３と、連結部材に一端が装着された第２伸縮部材４２と、第１伸縮部材の一端に装着された支持部材４１と、支持部材に少なくとも一部が支持される枠体４５と、前記枠体に固着された押付部材４７と、手袋付きビニール袋とを備え、押付部材の上に手袋付きビニール袋が被せられ、第１伸縮部材及び伸縮部材の少なくともいずれかの長さを調節することで、押付部材により手袋付きビニール袋を作業対象面に押し付けることで密閉された作業空間を構築するアスベスト除去具が提供される。従って、住宅等、様々な天井高さに柔軟に対応し、安全な環境を実現することが可能となる。
【００５２】
前記第１伸縮部材４４の他端に装着される底面部を更に有し、作業対象面とは建物の天井面であり、第１伸縮部材の底面部を床面に当接させて第１伸縮部材及び第２伸縮部材の少なくともいずれかの長さを調節し、押付部材により前記手袋付きビニール袋を天井に押し付けることで、密閉された作業空間を構築する。従って、一般住宅等の比較的小さい作業対象についても簡易に安全な作業空間を構築することが可能となる。
【００５３】
以上、本考案の第１乃至第３実施形態について説明したが、本考案はこれに限定されることなくその趣旨を逸脱しない範囲で種々の改良・変更が可能である。
【００５４】
例えば、上記実施形態では、伸縮部材等を３つ使用して、天井等に手袋付きビニール袋を押し付けて作業環境を構築する例を示したが、これには限定されず、更に複数の伸縮部材等を用いて、手袋付きビニール袋を天井面等に強固に押し付けるようにしてもよいことは勿論である。
【符号の説明】
【００５５】
１…アスベスト除去具
２…押付部材
３…枠体
４…支持部材
５…伸縮部材
６…手袋付きビニール袋
７…底面部
８…両面テープ
２０…アスベスト除去具
２１…押付部材
２２…両面テープ
２３…枠体
２４…指示部材
２５…手袋付きビニール袋
２６…伸縮部材
２７…固定部材
２８…単管
２９…単管
４０…アスベスト除去具
４１…支持部材
４２…第２伸縮部材
４３…連結部材
４４…第１伸縮部材
４５…枠体
４６…両面テープ
４７…押付部材
【図１】
0003217245.tif 000003
【図２】
0003217245.tif 000004
【図３】
0003217245.tif 000005
【図４】
0003217245.tif 000006
【図５】
0003217245.tif 000007
【図６】
0003217245.tif 000008
【図７】
0003217245.tif 000009
【図８】
0003217245.tif 000010
【図９】
0003217245.tif 000011
【図１０】
0003217245.tif 000012
【図１１】
0003217245.tif 000013
【図１２】
0003217245.tif 000014
【図１３】
0003217245.tif 000015
【図１４】
0003217245.tif 000016